(57)【特許請求の範囲】
【請求項１】
本体と、
前記本体の下部一側にヒンジ結合され、ヒンジ軸を中心に回動が可能であって前記本体の長さ方向に折り畳まれたり図書またはスマートパッドの一側方向に回動して展開されたりすることができるように形成される第１支持部折り畳み装置と、
前記本体の下部他側にヒンジ結合され、前記ヒンジ軸と平行に形成されたヒンジ軸を中心に回動が可能であって前記本体の長さ方向に折り畳まれたり前記図書または前記スマートパッドの他側方向に回動して展開されたりすることができるように形成される第２支持部折り畳み装置と、
前記本体を立てて支持することができるように、前記本体の下端部に、ヒンジ軸を中心に回動が可能であって前記本体の長さ方向に折り畳まれたり後方に展開されたりすることができるように形成される底板折り畳み装置と、
様々な高さの前記図書または前記スマートパッドの上部を固定することができるように前記本体の長さ方向にスライドされて高さ調節が可能であり、前記本体の上部に形成される固定装置とを含んでなり、
前記本体は、
前記固定装置がスライドできるように形成されるレール部と、
前記第１支持部折り畳み装置と結着でき、前記本体の左側一部に形成される第１結着部と、
前記第２支持部折り畳み装置と結着でき、前記本体の右側一部に形成される第２結着部とを含み、
前記固定装置は、
前記図書または前記スマートパッドの上部を固定することができるように形成される固定ヘッドと、
前記第１結着部及び前記第２結着部と連動し、前記レール部にスライドできるように形成される昇降棒と、
前記図書の上部中央を固定することができるようにピン形状に前記固定ヘッドの下部に形成される固定ピンと、
前記固定ピンを上方に上げることができるように前記固定ピンと連動して形成されるスイッチとを含む、学習用マルチスタンド。
【請求項２】
前記第１支持部折り畳み装置及び前記第２支持部折り畳み装置は、
前記図書または前記スマートパッドの一側及び他側の後方を支えることができるようにスプリング付きヒンジによって結合され、ヒンジ軸を中心に回動が可能であって前記第１支持部折り畳み装置の長さ方向に折り畳まれたり上方に回動して展開されたりすることができるように形成される受け部と、
前記図書または前記スマートパッドの一側及び他側下部を支えることができるようにスプリング付きヒンジによって結合され、ヒンジ軸を中心に回動が可能であって前記第１支持部折り畳み装置の長さ方向に折り畳まれたり前方に回動して展開されたりすることができる据え置き装置と、
前記第１結着部及び前記第２結着部に係止されるように形成される係合部とを含む、請求項１に記載の学習用マルチスタンド。
【請求項３】
前記固定装置が下方に位置したときに、前記第１結着部及び前記第２結着部に連動した前記昇降棒の下端部が係合部に係合でき、前記固定装置を上方に移動させたときに、前記第１結着部及び前記第２結着部と係合部との結着が解除され、前記第１支持部折り畳み装置及び前記第２支持部折り畳み装置が両側に展開されるものである、請求項１に記載の学習用マルチスタンド。
【請求項４】
前記受け部は、
前記第１支持部折り畳み装置及び前記第２支持部折り畳み装置が前記本体から展開されるとき、スプリングによって上方に回動して展開されるものである、請求項２に記載の学習用マルチスタンド。
【請求項５】
前記据え置き装置は、
前記据え置き装置の長さ方向に対して垂直な方向を持ってスプリング付きヒンジによって結合され、ヒンジ軸を中心に回動が可能であって前記据え置き装置の内部に折り畳まれたり上方に回動して展開されたりすることができるように形成されるプッシュピンと、
前記プッシュピンを容易に抜くことができるように前記据え置き装置の中間に形成される溝部とを含む、請求項２に記載の学習用マルチスタンド。
【請求項６】
前記据え置き装置は、
前記第１支持部折り畳み装置及び前記第２支持部折り畳み装置のスプリングによって折り畳まれる弾性復元力を受けており、前記第１支持部折り畳み装置及び前記第２支持部折り畳み装置の方向に弾性力が作用して、前記図書または前記スマートパッドの一側を拘束して据え置くことができるものである、請求項２に記載の学習用マルチスタンド。
【請求項７】
前記本体の角度を調節することができるように、ヒンジ軸を中心に回動が可能であって前記本体の長さ方向に折り畳まれるか或いは後方に回動して角度を調整することができるように形成される角度調節装置をさらに含み、
前記角度調節装置は、
固定できるように、前記底板折り畳み装置に複数の段部で形成される角度調節装置固定部を含む、請求項１に記載の学習用マルチスタンド。
【発明の詳細な説明】
【技術分野】
【０００１】
本発明は、学習用マルチスタンドに係り、より詳しくは、図書またはスマートパッドの据え置きが可能な学習用マルチスタンドに関する。
【背景技術】
【０００２】
一般に、読書スタンド及び書見台とは、本を読み易くするために机などに設置するものであって、本をのせる受け部と、視線に合わせて受け部を所定の角度に調節する角度調整部と、本の紙面を維持するためのクランプなどとを備える。このような基本構成を基に、様々な読書スタンドが使用されている。
【発明の概要】
【発明が解決しようとする課題】
【０００３】
ところが、このような従来の読書スタンドは、読書のために使用する場合を除いては、机の上に置いておけばかなりの面積を占めるため机の上のスペース活用の効率性を低下させるという問題点がある。また、スタンドを図書館、読書室などに携帯して活用したくても、大部分が木材やプラスチック材の板材から構成されており、その携帯が簡便ではない。
【０００４】
本発明は、かかる問題点を含む様々な問題点を解決するためのものであって、本を読むときに適切な傾斜度を確保することにより読書者の首の疲労感を軽減させ、折り畳んでスタンドの大きさを小さくして携帯性を向上させたうえ、広げられた状態で据え置かれた本のページを支持してページがめくれることを防止することができる。また、スマートパッドを安定的に支持することができる学習用マルチスタンドを提供することを目的とする。しかし、これらの課題は、例示的なもので、本発明の範囲を限定するものではない。
【課題を解決するための手段】
【０００５】
上記の課題を解決するための本発明の思想による学習用マルチスタンドは、本体と；前記本体の下部一側にヒンジ結合され、ヒンジ軸を中心に回動が可能であって、前記本体の長さ方向に折り畳まれたり図書またはスマートパッドの一側方向に回動して展開されたりすることができるように形成される第１支持部折り畳み装置と；前記本体の下部他側にヒンジ結合され、前記ヒンジ軸と平行に形成されたヒンジ軸を中心に回動が可能であって前記本体の長さ方向に折り畳まれたり前記図書または前記スマートパッドの他側方向に回動して展開されたりすることができるように形成される第２支持部折り畳み装置と；前記本体を立てて支持することができるように、前記本体の下端部にヒンジ軸を中心に回動が可能であって前記本体の長さ方向に折り畳まれたり後方に展開されたりするように形成される底板折り畳み装置と；様々な高さの前記図書または前記スマートパッドの上部を固定することができるように前記本体の長さ方向にスライドされて高さ調節が可能であり、前記本体の上部に形成される固定装置と；を含むことができる。
【０００６】
また、本発明によれば、前記本体は、前記固定装置がスライドできるように形成されるレール部と；前記第１支持部折り畳み装置と結着でき、前記本体の左側一部に形成される第１結着部と；前記第２支持部折り畳み装置と結着でき、前記本体の右側一部に形成される第２結着部と；を含むことができる。
【０００７】
また、本発明によれば、前記固定装置は、前記図書または前記スマートパッドの上部を固定することができるように形成される固定ヘッドと；前記第１結着部及び前記第２結着部と連動し、前記レール部にスライドできるように形成される昇降棒と；前記図書の上部中央を固定することができるようにピン形状に前記固定ヘッドの下部に形成される固定ピンと；前記固定ピンを上方に上げることができるように前記固定ピンと連動して形成されるスイッチと；を含むことができる。
【０００８】
また、本発明によれば、前記第１支持部折り畳み装置及び前記第２支持部折り畳み装置は、前記図書または前記スマートパッドの一側及び他側の後方を支えることができるようにスプリング付きヒンジによって結合され、ヒンジ軸を中心に回動が可能であって前記第１支持部折り畳み装置の長さ方向に折り畳まれたり上方に回動して展開されたりすることができるように形成される受け部と；前記図書または前記スマートパッドの一側及び他側の下部を支えることができるようにスプリング付きヒンジによって結合され、ヒンジ軸を中心に回動が可能であって前記第１支持部折り畳み装置の長さ方向に折り畳まれたり前方に回動して展開されたりすることができる据え置き装置と；前記第１結着部及び前記第２結着部に係止されるように形成される係合部と；を含むことができる。
【０００９】
また、本発明によれば、前記固定装置が下方に位置したときに、前記第１結着部及び前記第２結着部に連動した前記昇降棒の下端部が係合部に係合でき、前記固定装置を上方に移動させたときに、前記第１結着部及び前記第２結着部と係合部との結着が解除され、前記第１支持部折り畳み装置及び前記第２支持部折り畳み装置が両側に展開されるものであり得る。
【００１０】
また、本発明によれば、前記受け部は、前記第１支持部折り畳み装置及び前記第２支持部折り畳み装置が前記本体から展開されるとき、スプリングによって上方に回動して展開されるものであり得る。
【００１１】
また、本発明によれば、前記据え置き装置は、前記据え置き装置の長さ方向に対して垂直な方向を持ってスプリング付きヒンジによって結合され、ヒンジ軸を中心に回動が可能であって前記据え置き装置の内部に折り畳まれたり上方に回動して展開されたりすることができるように形成されるプッシュピンと；前記プッシュピンを容易に抜くことができるように前記据え置き装置の中間に形成される溝部と；をさらに含むことができる。
【００１２】
また、本発明によれば、前記据え置き装置は、前記第１支持部折り畳み装置及び前記第２支持部折り畳み装置のスプリングによって折り畳まれる弾性復元力を受けており、前記第１支持部折り畳み装置及び前記第２支持部折り畳み装置の方向に弾性力が作用して、前記図書または前記スマートパッドの一側を拘束して据え置くことができる。
【００１３】
また、本発明によれば、前記本体の角度を調節することができるように、ヒンジ軸を中心に回動が可能であって前記本体の長さ方向に折り畳まれるか或いは後方に回動して角度を調整することができるように形成される角度調節装置；をさらに含み、前記角度調節装置は、押されずに固定できるように、前記底板折り畳み装置に複数の段部で形成される角度調節装置固定部；を含むことができる。
【発明の効果】
【００１４】
前述したように構成された本発明の幾つかの実施形態によれば、支持部折り畳み装置に形成されたプッシュピンが設置されるので、スタンドに据え置かれた本のページを支持することができ、これにより、ページがめくれることを防止することができるので、便利な読書が可能である。また、プッシュピンが図書の端部を拘束して、傾斜をなす図書がスタンドの前方に押されることを防止することができるので、スタンドの状態を安定的に維持させることができ、溝部が構成されるので、図書またはスマートパッドをさらに安定的に安着させることができる。また、全ての部分が折り畳まれて携帯が容易であり、便利に保管または使用することができ、固定ヘッドのスライド作用により支持部折り畳み装置及び受け部が展開されて使用が容易であるという効果を持つ。もちろん、このような効果により本発明の範囲が限定されるものではない。
【図面の簡単な説明】
【００１５】
【図１】本発明の一実施形態に係る学習用マルチスタンドを示す斜視図である。
【図２】図１の学習用マルチスタンドを示す正面図である。
【図３】図１の学習用マルチスタンドを示す背面図である。
【図４】図１の学習用マルチスタンドを示す右側面図である。
【図５】図１の学習用マルチスタンドを組み立てた組立体の斜視図である。
【図６】図１の学習用マルチスタンドに図書を据え置いた状態を示す斜視図である。
【図７】図１の学習用マルチスタンドにスマートパッドを据え置いた状態を示す斜視図である。
【発明を実施するための形態】
【００１６】
後述する本発明についての詳細な説明は、本発明が適用できる特定な実施例を例示として示す添付図面を参照する。これらの実施例は、当業者が本発明を実施し得る程度に十分詳細に説明される。本発明の様々な実施例は、互いに異なるが、相互排他的である必要はないことが理解されるべきである。例えば、ここに記載されている特定の形状、構造及び特性は、一実施例に関連して本発明の精神及び範囲を逸脱することなく他の実施例に実現できる。また、それぞれの開示された実施例内の個別構成要素の位置または配置は、本発明の精神及び範囲から外れない範疇において変更できることが理解されるべきである。よって、後述する詳細な説明は限定的な意味に取るためのものではなく、本発明の範囲は、適切に説明されるならば、その請求項が主張するのと均等な全ての範囲と共に添付の請求項によってのみ限定される。図面において、類似の参照符号は様々な側面にわたって同一または類似の機能を指し示し、長さ、面積、厚さなど及びその形態は便宜のために誇張して表現されることもある。
【００１７】
以下、添付図面を参照して本発明の構成を詳細に説明する。
【００１８】
図１は本発明の一実施形態に係る学習マルチスタンド１００を示す斜視図であり、図２乃至図４は学習用マルチスタンド１００を示す正面図、背面図及び右側面図である。
【００１９】
図１乃至図４に示すように、前記学習用マルチスタンド１００は、大きく本体１０、第１支持部折り畳み装置２０、第２支持部折り畳み装置３０、底板折り畳み装置４０及び固定装置５０から構成できる。
【００２０】
図１乃至図４に示すように、前記本体１０は、前記固定装置５０がスライドできるように形成されるレール部１３と、前記第１支持部折り畳み装置２０に結着でき、前記本体１０の左側一部に形成される第１結着部１１と、前記第２支持部折り畳み装置３０に結着でき、前記本体１０の右側の一部に形成される第２結着部１２とを含むことができる。さらに具体的に、例えば、前記本体１０は、図書ＢまたはスマートパッドＳの上部を安定的に固定するための前記固定装置５０を前記図書Ｂまたは前記スマートパッドＳの高さに合わせて設置することができるように形成され、前記レール部１３は、後述する昇降棒５２に連結され、前記昇降棒５２が上下に移動することができるように前記本体１０の内部に形成され得る。
【００２１】
図１乃至図４に示すように、前記第１支持部折り畳み装置２０は、前記本体１０の下部一側にヒンジ結合されてヒンジ軸２１を中心に回動が可能であって、前記本体１０の長さ方向に折り畳まれたり図書Ｂ及びスマートパッドＳの一側方向に回動して展開されたりすることができるように形成され、前記第１結着部１１に係止できるように形成された第１係合部２２を含むことができる。さらに具体的に、例えば、前記第１支持部折り畳み装置２０は、前記本体１０と前記ヒンジ軸２１によってリンクされており、前記第１支持部折り畳み装置２０自体の荷重により展開されることも、後述する第１据え置き装置６２と第２据え置き装置７２が互いに押して展開されることもでき、組立の際に前記本体の方向に組み立てられ得る。この他にも、前記ヒンジ軸２１には回転力を内在するように結合されたスプリングを含むことができ、前記第１支持部折り畳み装置２０が前記本体１０から展開されようとする弾性復元力を持っていることができる。
【００２２】
また、図１乃至図４に示すように、受け部は、前記図書Ｂまたは前記スマートパッドＳの一側後方を支えることができるようにスプリング付きヒンジによって結合され、ヒンジ軸６１を中心に回動が可能であって前記第１支持部折り畳み装置２０の長さ方向に折り畳まれたり上方に回動して展開されたりすることができるように形成される第１受け部６０を含むことができる。ここで、前記第１受け部６０は、前記第１支持部折り畳み装置２０が前記本体１０から展開されるとき、スプリングによって上方に回動して展開されるものであり得る。さらに具体的に、例えば、前記第１受け部６０は前記本体１０と前記ヒンジ軸６１によってリンクされており、前記ヒンジ軸６１には回転力を内在するように結合されたスプリングを含むことにより、前記第１受け部６０は、前記第１支持部折り畳み装置２０から展開されようとする弾性復元力を持っていることができる。
【００２３】
また、図１乃至図４に示すように、据え置き装置は第１据え置き装置６２を含むことができる。ここで、前記第１据え置き装置６２は、前記図書Ｂまたは前記スマートパッドＳの一側下部を支えることができるようにスプリング付きヒンジによって結合され、ヒンジ軸６３を中心に回動が可能であって前記第１支持部折り畳み装置２０の長さ方向に折り畳まれたり前方に回動して展開されたりすることができる。ここで、前記第１据え置き装置６２は、前記第１支持部折り畳み装置２０のスプリングによって折り畳まれられようとする弾性復元力を受けており、前記第１支持部折り畳み装置２０の方向に弾性力が作用して、前記図書Ｂまたは前記スマートパッドＳの一側を拘束して据え置くことができる。さらに具体的に、例えば、前記第１据え置き装置６２は前記第１支持部折り畳み装置２０にリンクされており、前記ヒンジ軸６３には回転力を内在するように結合されたスプリングを含むことにより、前記第１据え置き装置６２は、前記第１支持部折り畳み装置２０に折り畳まれようとする弾性復元力を持っており、前記図書Ｂまたは前記スマートパッドＳの一側をより安定的に保持することができ、前記図書Ｂのページがめくれないように保持する役目をすることができる。
【００２４】
また、図１乃至図４に示すように、プッシュピンは、前記第１据え置き装置６２の長さ方向に対して垂直な方向を持ってスプリング付きヒンジによって結合され、ヒンジ軸６６を中心に回動が可能であって前記第１据え置き装置６２の内部に折り畳まれたり上方に回動して展開されたりすることができるように形成される第１プッシュピン６５を含むことができる。
【００２５】
また、図１乃至図４に示すように、溝部は、前記プッシュピン６５を容易に抜くことができるように、前記第１据え置き装置６２の中間に形成される第１溝部６４を含むことができる。さらに具体的に、例えば、第１溝部６４は、前記第１据え置き装置６２の中間部に溝状に形成されることにより、前記プッシュピン６５をユーザーが持ち上げ易くすることができ、前記図書Ｂまたは前記スマートパッドＳを前記第１溝部６４に据え置いて固定することもでき、滑りなしに据え置くこともできる。前記第１溝部６４は、前記図書Ｂまたは前記スマートパッドＳの一側下部を支えることができ、滑らないようにする役目をすることもできる。
【００２６】
また、図１乃至図４に示すように、第２支持部折り畳み装置３０は、前記本体１０の下部他側にヒンジ結合され、前記ヒンジ軸２１と平行に形成されたヒンジ軸３１を中心に回動が可能であって前記本体１０の長さ方向に折り畳まれたり前記図書Ｂまたは前記スマートパッドＳの他側方向に回動して展開されたりすることができるように形成できる。また、前記第２結着部１２に係止できるように形成された第２係合部３２を含むことができる。さらに具体的に、例えば、前記第２支持部折り畳み装置３０は、前記本体１０と前記ヒンジ軸３１によってリンクされており、前記第１支持部折り畳み装置２０自体の荷重により展開されることも、前記第１据え置き装置６２と後述の第２据え置き装置７２が互いに押して展開されることもでき、組立の際に前記本体の方向に組み立てられ得る。この他にも、前記ヒンジ軸３１には、回転力を内在するように結合されたスプリングを含むことができ、前記第２支持部折り畳み装置３０は、前記本体１０から展開されようとする弾性復元力を持っていることができる。
【００２７】
また、図１乃至図４に示すように、前記受け部は、前記図書Ｂまたは前記スマートパッドＳの他側後方を支えることができるようにスプリング付きヒンジによって結合され、ヒンジ軸７１を中心に回動が可能であって前記第２支持部折り畳み装置３０の長さ方向に折り畳まれたり上方に回動して展開されたりするように第２受け部７０を含むことができる。ここで、前記第２受け部７０は、前記第２支持部折り畳み装置３０が前記本体１０から展開されるときに、スプリングによって上方に回動して展開されるものであり得る。さらに具体的に、例えば、前記第２受け部７０は前記本体１０と前記ヒンジ軸７１によってリンクされており、前記ヒンジ軸７１には回転力を内在するように結合されたスプリングを含むことにより、前記第２受け部７０は展開されようとする弾性復元力を持っており、ユーザーが使用するために展開された状態では、前記第１支持部折り畳み装置２０と前記第２支持部折り畳み装置３０は対応して展開された状態で前記図書Ｂまたは前記スマートパッドＳの両側を支持することができ、組立の際には前記第１支持部折り畳み装置２０と前記第２支持部折り畳み装置３０を前記本体１０の方向に折り畳むことができる。この時、前記第１受け部６０と前記第２受け部７０は互いに向かい合って前記本体１０の方向に組み立てられ得る。
【００２８】
また、図１乃至図４に示すように、前記据え置き装置７２は第２据え置き装置７２を含むことができる。ここで、前記第２据え置き装置７２は、前記図書Ｂまたは前記スマートパッドＳの他側下部を支えることができるようにスプリング付きヒンジによって結合され、ヒンジ軸７３を中心に回動が可能であって前記第２支持部折り畳み装置３０の長さ方向に折り畳まれたり前方に回動して展開されたりすることが可能な第２据え置き装置７２を含むことができる。ここで、前記第２据え置き装置７２は、前記第２支持部折り畳み装置３０のスプリングによって折り畳まれる弾性復元力を受けており、前記第２支持部折り畳み装置３０の方向に弾性力が作用して、前記図書Ｂまたは前記スマートパッドＳの他側を拘束して据え置くことができる。さらに具体的に、例えば、前記第２据え置き装置７２は前記第２支持部折り畳み装置３０にリンクされており、前記ヒンジ軸７３には回転力を内在するように結合されたスプリングを含むことにより、前記第２据え置き装置７２は、前記第２支持部折り畳み装置３０に折り畳まれようとする弾性復元力を持っており、前記図書Ｂまたは前記スマートパッドＳの一側をより安定的に保持することができ、前記図書Ｂのページがめくれないように保持する役目をすることができる。
【００２９】
また、図１乃至図４に示すように、前記プッシュピンは、前記第２据え置き装置７２の長さ方向に対して垂直な方向を持ってスプリング付きヒンジによって結合され、ヒンジ軸７６を中心に回動が可能であって前記第２据え置き装置７２の内部に折り畳まれたり上方に回動して展開されたりすることができるように形成された第２プッシュピン７５を含むことができる。
【００３０】
また、図１乃至図４に示すように、前記溝部は、前記プッシュピン７５を容易に抜くことができるように、前記第２据え置き装置７２の中間に形成される第２溝部７４を含むことができる。さらに具体的には、例えば、第２溝部７４は、前記第２据え置き装置７２の中間部に溝状に形成されることにより、前記プッシュピン７５をユーザーが持ち上げ易くすることができ、前記図書Ｂまたは前記スマートパッドＳを前記第２溝部７４に据え置いて固定することもでき、滑りなしに据え置くこともできる。また、前記第２溝部７４は、前記図書Ｂまたは前記スマートパッドＳの他側下部を支えることができ、滑らないようにする役目をすることもできる。
【００３１】
また、図１乃至図４に示すように、前記底板折り畳み装置４０は、前記本体１０を立てて支持することができるように、前記本体１０の下端部にヒンジ軸４１を中心に回動が可能であって前記本体１０の長さ方向に折り畳まれたり後方に展開されたりすることができるように形成できる。例えば、前記底板折り畳み装置４０は、前記図書Ｂまたは前記スマートパッドＳを支持している前記本体１０の下端部に形成され、ヒンジ軸４１を中心に前記本体１０から回動して展開されることもできる。また、前記底板折り畳み装置４０は、前記本体１０の下端部に形成され、ヒンジ軸４１には回転力を内在するように結合されたスプリングを含むことにより、前記本体１０から展開されようとする弾性復元力を持っていることができるため、前記固定装置５０によって展開されることもできる。そのため、展開された前記底板折り畳み装置４０は、前記図書Ｂまたは前記スマートパッドＳを支持している前記本体１０をより安全的に支持することができる。
【００３２】
また、前記本体１０の角度を調節することができるようにヒンジ軸１４を中心に回動が可能であって、前記本体１０の長さ方向に折り畳まれたり後方に回動して展開されたりすることができるように形成される角度調節装置１５をさらに含むことができる。例えば、前記角度調節装置１５は、前記本体１０の後方に前記ヒンジ軸１４によってリンクされ、ヒンジ軸１４を中心に回動することができるように形成できる。そのため、前記角度調節装置１５を回動させることにより、前記図書Ｂまたは前記スマートパッドＳをユーザーの身体および性向に合わせて角度を調節して容易に使用することができる。
【００３３】
また、前記角度調節装置１５は、押されずに固定できるように、前記底板折り畳み装置４０に複数の段部で形成される角度調節装置固定部４２を含むことができる。例えば、前記底板折り畳み装置４０が前記本体１０から展開された後に、前記図書Ｂまたは前記スマートパッドＳの自重によって再び組み立てられないように前記底板折り畳み装置４０の下部に前記角度調節装置固定部４２を含むことができる。ここで、前記角度調節装置固定部４２は、前記底板折り畳み装置４０の下部に複数の前記角度調節装置固定部４２ａ、４２ｂ、４２ｃを含むことができる。前記角度調節装置固定部４２ａ、４２ｂ、４２ｃは、それぞれ任意の間隔で形成されており、前記本体１０の前記角度調節装置１５を形成して前記図書Ｂまたは前記スマートパッドＳの角度を調節することによりユーザーの利便性を向上させることができる。
【００３４】
また、図１乃至図４に示すように、前記固定装置５０は、様々な高さの前記図書Ｂまたは前記スマートパッドＳの上部を固定することができるように、前記本体１０の長さ方向にスライドされて高さ調節が可能であり、前記本体１０の上部に形成され得る。さらに具体的に、例えば、前記固定装置５０は固定ヘッド５１、昇降棒５２、固定ピン５３及びスイッチ５４を含むことができる。
【００３５】
例えば、前記固定ヘッド５１は、前記図書Ｂまたは前記スマートパッドＳの上部を固定することができるように形成でき、前記昇降棒５２は、前記第１結着部１１及び前記第２結着部１２と連動し、前記レール部１３にスライドできるように形成でき、前記固定ピン５３は、前記図書Ｂの上部中央を固定することができるようにピン形状に前記固定ヘッド５１の下部に形成できる。ここで、前記固定ピン５３は、前記固定ヘッド５１の上部に位置した前記スイッチ５４を押すと、前記固定ピン５３が前方に突出しながら上部に上がって、前記図書Ｂを固定し易いように形成できる。これに加えて、前記本体１０の下部にも下部固定ピンが形成され、前記固定ピン５３と対応して前記図書Ｂの下部を固定することができるように形成され得る。さらに具体的に、例えば、前記本体１０の前記第１結着部１１は、前記第１支持部折り畳み装置２０の前記第１係合部２２と結束することができ、第２結着部１２は、前記第２支持部折り畳み装置３０の前記第２係合部３２と結束することができる。このとき、前記固定装置５０が下方に位置したときに、前記第１結着部１１及び前記第２結着部１２に連動した前記昇降棒５２の下端部が前記係合部２２に係合でき、前記固定装置５０を上方に移動させたときに、前記本体１０の前記第１結着部１１及び前記第２結着部１２と前記第１支持部折り畳み装置２０の前記第１係合部２２及び前記第２支持部折り畳み装置３０の前記第２係合部３２との結着が解除され、前記第１支持部折り畳み装置２０及び前記第２支持部折り畳み装置３０が一側及び他側に展開できる。
【００３６】
例えば、前記固定装置５０が下方に位置したときに、前記第１結着部１１及び前記第２結着部１２に連動した前記昇降棒５２の下端部の突起が前記係合部２２に係止されて結着でき、前記固定装置５０を上方に移動させたときに、前記本体１０の形成された前記レール部１３に沿って前記固定ヘッド５１及び前記昇降棒５２が上昇し、これにより、前記第１支持部折り畳み装置２０の前記第１係合部２２及び前記第２支持部折り畳み装置３０の前記第２係合部３２が前記本体１０の前記第１結着部１１及び前記第２結着部１２から解除され、前記ヒンジ軸２１、３１に含まれているスプリングによって前記第１支持部折り畳み装置２０及び前記第２支持部折り畳み装置３０が両側に展開され得る。そのため、ユーザーが様々な動作を必要とせずに、前記固定ヘッド５１を上方に上げる動作だけでも前記学習用マルチスタンド１００を展開することができる。
【００３７】
図５は図１の学習用マルチスタンド１００を組み立てた組立体の斜視図である。
【００３８】
図５に示すように、前記学習用マルチスタンド１００の前記第１支持部折り畳み装置２０、第２支持部折り畳み装置３０、底板折り畳み装置４０及び固定装置５０が全て折り畳まれて組み立てられた状態であって、ユーザーが使用しないときに携帯及び移動を非常に容易にするように構成されている。
【００３９】
図６及び図７は図１の学習用マルチスタンド１００に図書Ｂ及びスマートパッドＳを据え置いた状態を示す斜視図である。
【００４０】
図６及び図７に示すように、前記学習用マルチスタンド１００は、前記図書Ｂまたは前記スマートパッドＳの据え置きが可能であり、据え置きの際にユーザーが利用しやすいように調節が可能であり、この他にも、前記学習用マルチスタンド１００の使用は前記図書Ｂまたは前記スマートパッドＳに限定されない。
【００４１】
本発明は、図示されている実施例を参照して説明されたが、これは例示的なものに過ぎず、当該技術分野における通常の知識を有する者であれば、様々な変形及び均等な他の実施例が可能であることを理解するだろう。よって、本発明の真正な技術的保護範囲は、添付された請求の範囲の技術的思想によって定められるべきであろう。
【産業上の利用可能性】
【００４２】
前述したように構成された本発明の幾つかの実施形態によれば、支持部折り畳み装置に形成されたプッシュピンが設置されるので、スタンドに据え置かれた本のページを支持することができ、これにより、ページがめくれることを防止することができるので便利な読書が可能である。また、プッシュピンが図書の端部を拘束して、傾斜をなす図書がスタンドの前方に押されることを防止することができるので、スタンドの状態を安定的に維持させることができ、溝部が構成されるので、図書またはスマートパッドをさらに安定的に安着させることができる。また、全ての部分が折り畳まれて携帯が容易であり、便利に保管または使用することができ、固定ヘッドのスライド作用により支持部折り畳み装置及び受け部が展開されて使用が容易である学習用マルチスタンドを販売して収益を創出することができる。
【図１】
0006526325.tif 000002
【図２】
0006526325.tif 000003
【図３】
0006526325.tif 000004
【図４】
0006526325.tif 000005
【図５】
0006526325.tif 000006
【図６】
0006526325.tif 000007
【図７】
0006526325.tif 000008